(57)【要約】【課題】この発明は、入力ソースおよび音声信号の種類の組み合わせに適したサラウンド処理モードが自動的に選択されるようになるマルチチャンネル音響装置を提供することを目的とする。【解決手段】選択されている入力ソースから入力される音声信号のデコード処理およびサラウンド処理を行うための音声信号処理装置、入力ソースおよび音声信号形式の組み合わせ毎に、それに適したサラウンド処理モードが予め設定されているサラウンド処理モード設定テーブル、ならびに選択されている入力ソースおよびその入力ソースから入力されている音声信号の信号形式に適したサラウンド処理モードを、サラウンド処理モード設定テーブルから取得し、取得したサラウンド処理モードに応じたサランウンド処理が行われれるように音声信号処理装置を制御する制御手段を備えている。【選択図】  図１
2004274374.tif 000002
【特許請求の範囲】
【請求項１】
複数種類の入力ソースから１つの入力ソースを選択し、選択した入力ソースから入力される音声信号を再生することができる機能を備えたマルチチャンネル音響装置において、
選択されている入力ソースから入力される音声信号のデコード処理およびサラウンド処理を行うための音声信号処理装置、
入力ソースおよび音声信号形式の組み合わせ毎に、それに適したサラウンド処理モードが予め設定されているサラウンド処理モード設定テーブル、
選択されている入力ソースおよびその入力ソースから入力されている音声信号の信号形式に適したサラウンド処理モードを、サラウンド処理モード設定テーブルから取得し、取得したサラウンド処理モードに応じたサランウンド処理が行われれるように音声信号処理装置を制御する制御手段、
を備えていることを特徴とするマルチチャンネル音響装置。
【請求項２】
サラウンド処理モード設定テーブルの内容を、ユーザによって設定変更させるための手段を備えていることを特徴とする請求項１に記載のマルチチャンネル音響装置。
【発明の詳細な説明】
【０００１】
【発明の属する技術分野】
この発明は、例えば、ＤＶＤ、ＶＣＤ、ＣＤ、ＣＤ−ＲＯＭ、アナログ外部入力、デジタル外部入力、チューナ入力等の複数の入力ソースから任意の１つを選択させ、選択された入力ソースから入力される音声信号を再生するマルチチャンネル音響装置に関する。なお、この明細書において使用されている”  ｄｏｌｂｙ  ”  、”  ドルビー”  、”プロロジック（Ｐｒｏ  Ｌｏｇｉｃ）”    はドルビーラボラトリーズの商標である。
【０００２】
【従来の技術】
マルチチャンネル音響装置として、再生モードとして、ＤＶＤモード、チューナモード、外部入力モード等といった複数のモードを備えたものがある。また、ＤＶＤモードでは、ＤＶＤディスクの他、ＶＣＤディスク、ＣＤディスク、ＣＤ−ＲＯＭ等の複数のメディアに記録されている情報を再生することが可能となっているものもある。
【０００３】
ＤＶＤモード時には、ＰＣＭ、ＡＣ３、ＤＴＳ等の信号形式の異なる複数種類の音声ストリーム（音声信号）が入力される可能性がある。デジタル外部入力モード時には、ＰＣＭ、ＡＣ３、ＤＴＳ、ＡＡＣ等の信号形式の異なる複数種類の音声ストリームが入力される可能性がある。アナログ外部入力モード時およびチューナモード時には、アナログの音声信号が入力される。さらに、ＡＣ３およびＡＡＣ形式の音声ストリームにおいては、音声信号が２チャンネルである場合と２チャンネル以外のマルチチャンネルである場合とがある。
【０００４】
したがって、入力ソースと音声信号形式との組み合わせは、数多く存在することになる。入力ソースは、再生モードとメディアとによって決定されるものであり、上記の例では、入力ソースの種類としては、ＤＶＤモードにおける各メディア、チューナモード時におけるＡＭラジオ放送およびＦＭラジオ放送、アナログ外部入力、デジタル外部入力がある。また、音声信号形式の種類は、入力信号がデジタルかアナログかによって大別され、デジタルの場合にはさらに符号化方式の相違およびチャンネル数の相違によって区別される。
【０００５】
上記従来のマルチチャンネル音響装置では、再生モードを切り換えたとき、ＤＶＤ再生モード時においてメディアに記録されている音声ストリーム（音声信号形式）の種類が切り替わったとき、デジタル外部入力モード時において音声ストリームの種類が切り替わったとき等において、ユーザは、入力ソース、音声信号形式の種類、用途、好み等に応じて、操作部（リモコンまたは本体側操作部）を操作して、サラウンド処理モードを切り替える必要があった。
【０００６】
なお、サラウンド処理とは２チャンネルの音声信号をマルチャンネルの音声信号に変換するための処理をいい、サラウンド処理モードには、例えば、サラウンド処理をしないサラウンドＯＦＦ、映画に適したＤｏｌｂｙ  Ｐｒｏ  Ｌｏｇｉｃ  ＩＩ  Ｍｏｖｉｅ、音楽に適したＤｏｌｂｙ  Ｐｒｏ  Ｌｏｇｉｃ  ＩＩ  Ｍｕｓｉｃ等がある。
【０００７】
【発明が解決しようとする課題】
この発明は、入力ソースおよび音声信号の種類の組み合わせに適したサラウンド処理モードが自動的に選択されるようになるマルチチャンネル音響装置を提供することを目的とする。
【０００８】
【課題を解決するための手段】
請求項１に記載の発明は、複数種類の入力ソースから１つの入力ソースを選択し、選択した入力ソースから入力される音声信号を再生することができる機能を備えたマルチチャンネル音響装置において、選択されている入力ソースから入力される音声信号のデコード処理およびサラウンド処理を行うための音声信号処理装置、入力ソースおよび音声信号形式の組み合わせ毎に、それに適したサラウンド処理モードが予め設定されているサラウンド処理モード設定テーブル、ならびに選択されている入力ソースおよびその入力ソースから入力されている音声信号の信号形式に適したサラウンド処理モードを、サラウンド処理モード設定テーブルから取得し、取得したサラウンド処理モードに応じたサランウンド処理が行われれるように音声信号処理装置を制御する制御手段を備えていることを特徴とする。
【０００９】
請求項２に記載の発明は、請求項１に記載のマルチチャンネル音響装置において、サラウンド処理モード設定テーブルの内容を、ユーザによって設定変更させるための手段を備えていることを特徴とする。
【００１０】
【発明の実施の形態】
以下、図面を参照して、この発明をＤＶＤ再生機能付きのマルチチャンネル音響装置に適用した場合の実施の形態について説明する。
【００１１】
図１は、ＤＶＤ再生機能付きのマルチチャンネル音響装置の概略構成を示している。
【００１２】
このマルチチャンネル音響装置は、再生モードとして、ＤＶＤモード、チューナモード、デジタル外部入力モードおよびアナログ外部入力モードを備えている。また、ＤＶＤモードでは、ＤＶＤディスクの他、ＶＣＤディスク、ＣＤディスク、ＣＤ−ＲＯＭ等の複数のメディアに記録されている情報を再生することが可能となっている。また、チューナモードでは、ＡＭラジオ放送またはＦＭラジオ放送を選択（この明細書においてはこの選択もメディアの選択ということにする）できるようになっている。
【００１３】
ＤＶＤモード時には、ＰＣＭ、ＡＣ３、ＤＴＳ等の信号形式の異なる複数種類の音声ストリーム（音声信号）が入力される可能性がある。デジタル外部入力モード時には、ＰＣＭ、ＡＣ３、ＤＴＳ、ＡＡＣ等の信号形式の異なる複数種類の音声ストリームが入力される可能性がある。アナログ外部入力モード時およびチューナモード時には、アナログの音声信号が入力される。さらに、ＡＣ３およびＡＡＣ形式の音声ストリームにおいては、音声信号が２チャンネルである場合と２チャンネル以外のマルチチャンネルである場合とがある。
【００１４】
システム制御マイクロコンピュータ（システム制御マイコン）１には、操作部２からの操作信号（キー情報）が入力される。システム制御マイコン１は、ＦＬ、ＬＥＤ等の表示部３、ディスクドライブ４、ＤＶＤ再生用ＡＶデコーダ部５、デジタルオーディオ・インタフェース・レシーバー（ＤＩＲ）６、オーディオＤＳＰ７、チューナ部８、Ｃｏｄｅｃ９、アンプ回路１０等の制御を行う。
【００１５】
オーディオＤＳＰ７は、音声信号のデコード処理、Ｄｏｌｂｙ  Ｐｒｏ  Ｌｏｇｉｃ  ＩＩ  Ｍｏｖｉｅ、Ｄｏｌｂｙ  Ｐｒｏ  Ｌｏｇｉｃ  ＩＩ  Ｍｕｓｉｃなどのサラウンド処理等を行う。Ｃｏｄｅｃ９は、ＡＤコンバータおよびＤＡコンバータを含んでいる。
【００１６】
システム制御マイコン１は、再生モードと、ＤＶＤ再生モードまたはチューナモード時にはメディアと、音声信号形式との各組み合わせ毎に、それに適したサラウンド処理モードが予め設定されているサラウンド処理モード設定テーブルを備えている。サラウンド処理モード設定テーブルの内容は、操作部２の操作によって表示される設定画面上で、ユーザが設定変更できるようになっている。
【００１７】
システム制御マイコン１は、操作部２からのキー情報に基づいて、再生モードを選択するとともに、選択された再生モード、ＤＶＤ再生モードまたはチューナモードである場合にはメディアの種類、入力信号の音声信号形式およびサラウンド処理モード設定テーブルに基づいてサラウンド処理モードを選択し、選択した再生モードおよびサラウンド処理モードを表示部３に表示する。
【００１８】
再生モードとしてＤＶＤ再生モードが選択された場合には、システム制御マイコン１は、ディスクドライブ４およびＤＶＤ再生用ＡＶデコーダ部５を制御し、メディアの判別およびメディアの再生を行う。ＤＶＤ再生用ＡＶデコーダ部５から得られたデジタル音声信号は、ＤＩＲ６を介してオーディオＤＳＰ７に入力する。
【００１９】
オーディオＤＳＰ７では、入力されたデジタル音声信号に対して、デコード処理および選択したサラウンド処理モードに応じたサラウンド処理が行われる。オーディオＤＳＰ７によって得られたデジタル音声信号は、Ｃｏｄｅｃ９によってアナログの音声信号に変換された後、アンプ回路１０を介して、スピーカ１１−１〜１１−６に出力される。
【００２０】
再生モードとして、デジタル外部入力が選択された場合には、デジタル入力信号は、ＤＩＲ６を介してオーディオＤＳＰ７に送られ、ＤＶＤ再生モードが選択された場合と同様な方法で信号処理される。
【００２１】
再生モードとして、チューナモードが選択された場合には、システム制御マイコン１は、チューナ部８を制御し、ラジオ放送を受信する。チューナ部８によって得られたアナログ音声信号は、Ｃｏｄｅｃ９によってデジタルの音声信号に変換された後、オーディオＤＳＰ７に送られる。
【００２２】
オーディオＤＳＰ７では、入力されたデジタル音声信号に対して、デコード処理および選択したサラウンド処理モードに応じたサラウンド処理が行われる。オーディオＤＳＰ７によって得られたデジタル音声信号は、Ｃｏｄｅｃ９によってアナログの音声信号に変換された後、アンプ回路１０を介して、スピーカ１１−１〜１１−６に出力される。
【００２３】
再生モードとして、アナログ外部入力が選択された場合には、アナログ入力信号は、Ｃｏｄｅｃ９を介してオーディオＤＳＰ７に送られ、チューナモードが選択された場合と同様な方法で信号処理される。
【００２４】
なお、オーディオＤＳＰ７によってデコードされている入力ストリーム（入力音声信号）の信号形式等の情報は、オーディオＤＳＰ７からシステム制御マイコン１に送られ、表示部３に表示される。なお、入力ストリームの信号形式の判別は、よく知られている方法によって行われる。
【００２５】
図２は、サラウンド処理モード設定テーブルの内容の一例を示している。
【００２６】
各行において、サラウンド処理モードの選択理由について簡単に説明しておく。
【００２７】
（１）  １行目：再生モードがＤＶＤモードでかつメディアがＤＶＤディスク（入力ソースがＤＶＤディスク）で、信号形式がＡＣ３  ：  Ｄｏｌｂｙ  Ｄｉｇｉｔａｌ  ２ｃｈ  の場合には、コンテンツが映画である場合が多いため、サラウンド処理モードとしてＤｏｌｂｙ  Ｐｒｏ  Ｌｏｇｉｃ  ＩＩ  Ｍｏｖｉｅが設定されている。
【００２８】
（２）  ２行目：再生モードがＤＶＤモードでかつメディアがＤＶＤディスク（入力ソースがＤＶＤディスク）で、信号形式がＡＣ３  ：Ｄｏｌｂｙ  Ｄｉｇｉｔａｌ  ２ｃｈ以外の場合には、入力音声信号がマルチチャンネルであり、サラウンド処理を行う必要がないため、サラウンド処理モードとしてサラウンドＯＦＦが設定されている。
【００２９】
（３）  ３行目：再生モードがＤＶＤモードでかつメディアがＤＶＤディスク（入力ソースがＤＶＤディスク）で、信号形式がＤＴＳ  の場合には、入力音声信号がほとんどの場合、マルチチャンネルであり、サラウンド処理を行う必要がないため、サラウンド処理モードとしてサラウンドＯＦＦが設定されている。
【００３０】
（４）  ４行目：再生モードがＤＶＤモードでかつメディアがＤＶＤディスク（入力ソースがＤＶＤディスク）で、信号形式がＰＣＭ  の場合には、コンテンツが音楽である場合が多いため、サラウンド処理モードとしてＤｏｌｂｙ  Ｐｒｏ  Ｌｏｇｉｃ  ＩＩ  Ｍｕｓｉｃが設定されている。
【００３１】
（５）  ５行目：再生モードがＤＶＤモードでかつメディアがＶＣＤディスク（入力ソースがＶＣＤディスク）で、信号形式がＰＣＭ  の場合には、コンテンツが映画である場合が多いため、サラウンド処理モードとしてＤｏｌｂｙ  Ｐｒｏ  Ｌｏｇｉｃ  ＩＩ  Ｍｏｖｉｅが設定されている。
【００３２】
（６）  ６行目：再生モードがＤＶＤモードでかつメディアがＣＤディスク（入力ソースがＣＤディスク）で、信号形式がＤＴＳ  の場合には、入力音声信号がほとんどの場合、マルチチャンネルであり、サラウンド処理を行う必要がないため、サラウンド処理モードとしてサラウンドＯＦＦが設定されている。
【００３３】
（７）  ７行目：再生モードがＤＶＤモードでかつメディアがＣＤディスク（入力ソースがＣＤディスク）で、信号形式がＰＣＭ  の場合には、コンテンツが音楽である場合が多いため、サラウンド処理モードとしてＤｏｌｂｙ  Ｐｒｏ  Ｌｏｇｉｃ  ＩＩ  Ｍｕｓｉｃが設定されている。
【００３４】
（８）  ８行目：再生モードがＤＶＤモードでかつメディアがＣＤ−ＲＯＭ（入力ソースがＣＤ−ＲＯＭ）で、信号形式がＭＰ３／ＷＭＡ  の場合には、コンテンツが音楽である場合が多いため、サラウンド処理モードとしてＤｏｌｂｙ  Ｐｒｏ  Ｌｏｇｉｃ  ＩＩ  Ｍｕｓｉｃが設定されている。
【００３５】
（９）  ９行目：再生モードがアナログ外部入力モード（入力ソースがアナログ外部入力）である場合には、コンテンツは不明であるため、サラウンド処理モードとして一般的なＤｏｌｂｙ  Ｐｒｏ  Ｌｏｇｉｃ  ＩＩ  Ｍｏｖｉｅが設定されている。
【００３６】
（１０）    １０行目：再生モードがデジタル外部入力モード（入力ソースがデジタル外部入力）で、信号形式が  ＡＣ３  ：  Ｄｏｌｂｙ  Ｄｉｇｉｔａｌ  ２ｃｈの場合には、コンテンツが映画である場合が多いため、サラウンド処理モードとしてＤｏｌｂｙ  Ｐｒｏ  Ｌｏｇｉｃ  ＩＩ  Ｍｏｖｉｅが設定されている。
【００３７】
（１１）    １１行目：再生モードがデジタル外部入力モード（入力ソースがデジタル外部入力）で、信号形式がＡＣ３  ：Ｄｏｌｂｙ  Ｄｉｇｉｔａｌ  ２ｃｈ以外の場合には、入力音声信号がマルチチャンネルであり、サラウンド処理を行う必要がないため、サラウンド処理モードとしてサラウンドＯＦＦが設定されている。
【００３８】
（１２）    １２行目：再生モードがデジタル外部入力モード（入力ソースがデジタル外部入力）で、信号形式がＤＴＳ  の場合には、入力音声信号がほとんどの場合、マルチチャンネルであり、サラウンド処理を行う必要がないため、サラウンド処理モードとしてサラウンドＯＦＦが設定されている。
【００３９】
（１３）    １３行目：再生モードがデジタル外部入力モード（入力ソースがデジタル外部入力）で、信号形式がＰＣＭ  の場合には、コンテンツが音楽である場合が多いため、サラウンド処理モードとしてＤｏｌｂｙ  Ｐｒｏ  Ｌｏｇｉｃ  ＩＩ  Ｍｕｓｉｃが設定されている。
【００４０】
（１４）    １４行目：再生モードがデジタル外部入力モード（入力ソースがデジタル外部入力）で信号形式がＡＡＣ  の場合、２チャンネルの場合にはニュース等の一般的な放送で使用されているのでサラウンド処理を行う必要がなく、マルチチャンネルの場合にはサラウンド処理を行う必要がないため、サラウンド処理モードとしてサラウンドＯＦＦが設定されている。
【００４１】
（１５）    １５行目：再生モードがチューナモードでメディアがＡＭの場合（入力ソースがＡＭラジオ放送）の場合には、ニュース番組が多いため、サラウンド処理モードとしてサラウンドＯＦＦが設定されている。
【００４２】
（１６）    １６行目：再生モードがチューナモードでメディアＦＭの場合（入力ソースがＦＭラジオ放送）の場合には、音楽番組が多いため、サラウンド処理モードとしてＤｏｌｂｙ  Ｐｒｏ  Ｌｏｇｉｃ  ＩＩ  Ｍｕｓｉｃが設定されている。
【００４３】
図３は、システム制御マイコン１によるサラウンド処理モードの制御処理手順を示している。
【００４４】
再生モードが切り替えられるか、ＤＶＤ再生モード時においてメディアまたは音声ストリーム（音声信号形式）の種類が切り替わるか、デジタル外部入力モード時に音声ストリームの種類が切り替わるか、チューナモード時において、メディア（ＡＭ、ＦＭ）が切り替えられるかというように、入力ソースおよび音声信号形式の組み合わせが変化する可能性が発生した場合には（ステップ１）、再生モードを判別する（ステップ２）。
【００４５】
判別した再生モードがＤＶＤ再生モードまたはチューナモードであれば（ステップ３でＹＥＳ）、メディアを判別した後（ステップ４）、ステップ５に移行する。判別した再生モードがＤＶＤ再生モードまたはチューナモードでなければ、ステップ５に移行する。
【００４６】
ステップ５では、入力ストリームの種類（音声信号形式）を判別する。上述したように、この判別は、オーディオＤＳＰ７によって行われる。これらの判別結果（再生モード、ＤＶＤ再生モードまたはチューナモードであればメディア、音声信号形式）とサラウンド処理モード設定テーブルとに基づいて、それらの組み合わせに適したサラウンド処理モードを選択する（ステップ６）。
【００４７】
システム制御マイコン１は、このようにしてサラウンド処理モードを選択すると、選択したサラウンド処理モードをオーディオＤＳＰ７に設定する（ステップ７）。これにより、選択したサラウンド処理モードに応じたサラウンド処理が行われる。したがって、入力ソースおよび音声信号の種類の組み合わせに適したサラウンド処理モードが自動的に選択されるようになる。
【００４８】
【発明の効果】
この発明によれば、入力ソースおよび音声信号の種類の組み合わせに適したサラウンド処理モードが自動的に選択されるようになる。
【図面の簡単な説明】
【図１】ＤＶＤ再生機能付きのマルチチャンネル音響装置の概略構成を示すブロック図である。
【図２】サラウンド処理モード設定テーブルの内容の一例を示す模式図である。
【図３】システム制御マイコン１によるサラウンド処理モードの制御処理手順を示すフローチャートである。
【符号の説明】
１  システム制御マイコン
２  操作部
３  表示部
４  ディクドライブ
５  ＤＶＤ再生用ＡＶデコーダ部
６  ＤＩＲ
７  オーディオＤＳＰ
８  チューナ部
９  Ｃｏｄｅｃ
１０  アンプ回路
１１−１〜１１−６  スピーカ
【図１】
2004274374.tif 000003
【図２】
2004274374.tif 000004
【図３】
2004274374.tif 000005